(57)【要約】【課題】      釣針への着脱が容易であり、魚が口に含んだ際の食感に影響を与えず、しかも練り餌のもちをよくすることが可能な練り餌脱落防止具と、このような練り餌脱落防止具を取り付けた釣針とを提供する。【解決手段】  練り餌脱落防止具10が弾性を有する柔軟な材料で構成されているので、本体12を弾性変形させることにより、釣針Fを挿入孔16内に容易に挿通させることができる。また、練り餌係止片14が弾性変形するため、釣針Fに食い付いた魚が違和感を覚えるのを防止することができる。さらに、本体12の外周面から径方向に延ばされた練り餌係止片14は、本体12の外周面とその上面14aとのなす角度θが直角乃至鋭角となるように設けられると共に、本体12の軸方向に間隔を置いて複数設けられているので、練り餌Pを確実に係止でき、釣針Fから練り餌Pが脱落するのを防止することができる。【選択図】  図４
2006141221.tif 000002
【特許請求の範囲】
【請求項１】
弾性を有する柔軟な材料からなり、
釣針の軸部の外径と略同等以下の内径の挿入孔を有し、前記釣針の軸部に装着される筒状の本体と、
前記本体の外周面から径方向に延ばされ、その上面と前記外周面とのなす角度が直角乃至鋭角となるように設けられると共に、前記本体の軸方向に所定の間隔を置いて複数設けられた練り餌係止片とを具備することを特徴とする練り餌脱落防止具。
【請求項２】
弾性を有する柔軟な材料からなり、釣針の軸部の外径と略同等以下の内径の挿入孔を有し、釣針の軸部に装着される筒状の本体と、前記本体の外周面から径方向に延ばされ、その上面と前記外周面とのなす角度が直角乃至鋭角となるように設けられると共に、前記本体の軸方向に所定の間隔を置いて複数設けられた練り餌係止片とを具備する練り餌脱落防止具を軸部に装着したことを特徴とする釣針。
【発明の詳細な説明】
【技術分野】
【０００１】
本発明は、ヘラブナ釣りやクロダイ釣りなど練り餌を使った釣りにおいて威力を発揮する練り餌脱落防止具とこれを装着した釣針に関する。
【背景技術】
【０００２】
ヘラブナやクロダイなどを対象とした釣りでは、粉末状の餌を水で練った所謂「練り餌」を用いた釣りが行われている。このような釣りでは、練り餌を適当な大きさの団子状にして釣針全体を包み込み、これを水中のポイントへと投入する。すると、時間の経過と共に練り餌が水中で順次拡散して魚を誘引すると共に、練り餌で包み込んだ釣針に食い付いた魚を釣り上げる。
【０００３】
したがって、練り餌を用いた釣りでは、練り餌が短時間のうちに釣針から脱落してしまっては意味が無く、釣針に取り付けた練り餌の餌もちをよくしなければならない。
【０００４】
そこで、従来、図７に示すように、剛性のある細線材を螺旋状に巻込んでスパイラル体(1)に形成すると共に、該スパイラル体(1)の両端を巻き絞って釣針挿通口(2)としてなる練り餌脱落防止具(3)が提案されている（例えば、特許文献１参照。）。
【０００５】
かかる練り餌脱落防止具(3)を釣針(F)に装着すると、練り餌(5)が釣針(4)から脱落するのを防止でき、釣針(4)に取り付けた練り餌(5)の餌もちをよくすることができる。
【特許文献１】特開昭６２−６９９４３号公報
【発明の開示】
【発明が解決しようとする課題】
【０００６】
しかしながら、上述の練り餌脱落防止具(3)は剛性のある細線材で構成されているため、当該練り餌脱落防止具(3)を装着した釣針(4)を魚が吸い込む際、練り餌脱落防止具(3)が魚の口に突き当たる。そうすると、魚は違和感を覚え、一旦口に含んだ釣針を吐き出すようになる。このため、思うように釣果が上がらないという問題があった。
【０００７】
また、この練り餌脱落防止具(3)は、スパイラル体(1)の両端を巻き絞って釣針挿通口(2)を設けるようにしているため、一旦、釣針(4)に装着すると、針先に設けられた「かえし(4a)」やチモト部に設けられた「タタキ(4b)」に釣針挿通口(2)が引っ掛かり、容易に取り外すことができない。つまり、釣針(4)への着脱が容易ではない。このため、練り餌(5)を用いた釣りから生餌を用いた釣りに切替えたい場合には、ハリス(6)を切って釣針(4)を付け替えなければならず、仕掛けの変更が面倒であるという問題もあった。
【０００８】
それゆえに、本発明の主たる課題は、釣針への着脱が容易であり、魚が口に含んだ際の食感に影響を与えず、しかも練り餌のもちをよくすることが可能な練り餌脱落防止具と、このような練り餌脱落防止具を取り付けた釣針とを提供することである。
【課題を解決するための手段】
【０００９】
請求項１に記載した発明は、「弾性を有する柔軟な材料からなり、釣針(F)の軸部(F1)の外径と略同等以下の内径の挿入孔(16)を有し、釣針(F)の軸部(F1)に装着される筒状の本体(12)と、本体(12)の外周面から径方向に延ばされ、その上面(14a)と前記外周面とのなす角度(θ)が直角乃至鋭角となるように設けられると共に、本体(12)の軸方向に所定の間隔を置いて複数設けられた練り餌係止片(14)とを具備する」ことを特徴とする練り餌脱落防止具(10)である。
【００１０】
また、請求項２に記載した発明は、「弾性を有する柔軟な材料からなり、釣針(F)の軸部(F1)の外径と略同等以下の内径の挿入孔(16)を有し、釣針(F)の軸部(F1)に装着される筒状の本体(12)と、本体(12)の外周面から径方向に延ばされ、その上面(14a)と前記外周面とのなす角度(θ)が直角乃至鋭角となるように設けられると共に、本体(12)の軸方向に所定の間隔を置いて複数設けられた練り餌係止片(14)とを具備する練り餌脱落防止具(10)を軸部(F1)に装着した」ことを特徴とする釣針(F)である。
【００１１】
これらの発明では、練り餌脱落防止具(10)が弾性を有する柔軟な材料で構成されているので、本体(12)に設けられた挿入孔(16)の内径が釣針(F)の軸部(F1)の外径と略同等以下であっても、また、釣針(F)の針先に「かえし(F2)」が設けられ、或いはチモト部に「タタキ(F3)」が設けられた場合であっても、本体(12)を弾性変形させる(より詳しくは挿入孔(16)を弾性変形させ拡径させる)ことにより、釣針(F)が挿入孔(16)内を容易に移動可能となる。このため、釣針(F)に練り餌脱落防止具(10)を装着して練り餌(P)を用いた釣りを行った後、生餌を用いた釣りに切替える際などに、一旦釣針(F)に装着した練り餌脱落防止具(10)を簡単に取外すことができる。
【００１２】
また、挿入孔(16)の内径を釣針(F)の軸部(F1)の外径と略同等以下の大きさで形成しているので、練り餌脱落防止具(10)を釣針(F)の軸部(F1)に装着すると、常態においては本体(12)がその弾性回復力で軸部(F1)を締め付けるようになる。このため、釣針(F)に取り付けた練り餌脱落防止具(10)が簡単に移動して練り餌脱落防止具(10)から練り餌(P)が脱落するのを防止することができる。
【００１３】
さらに、上述のように本実施例の練り餌脱落防止具(10)は、弾性を有する柔軟な材料で構成されているが、本体(12)の外周面から径方向に延ばされた練り餌係止片(14)は、本体(12)の外周面とその上面(14a)とのなす角度(θ)が直角乃至鋭角となるように設けられているので、練り餌係止片(14)から練り餌(P)がずり落ちるのを防止できると共に、本体(12)の軸方向に所定の間隔を置いて複数設けられているので、実質的に練り餌(P)を係止する練り餌係止片(14)上面(14a)と練り餌(P)との接触面積を増やすことができる。したがって、練り餌(P)を確実に係止でき、釣針(F)から練り餌(P)が脱落するのを防止することができる。
【００１４】
そして、練り餌係止片(14)が上述のように本体(12)の軸方向に所定の間隔を置いて複数設けられているので、練り餌係止片(14)に応力が与えられた場合、当該練り餌係止片(14)は容易に弾性変形する。したがって、練り餌脱落防止具(10)を取着した釣針(F)に魚が食い付いた際には、この練り餌係止片(14)が弾性変形し、魚の口内に与える応力つまり突き当たり感が軽減される。このため、釣針(F)に食い付いた魚は違和感を覚えず、当該魚を確実にフッキングすることができる。
【発明の効果】
【００１５】
本発明によれば、練り餌脱落防止具がゴム弾性を有する柔軟な材料で構成されているので、釣針に装着した練り餌脱落防止具を簡単に着脱することができる。また、本体に形成する挿入孔の内径を釣針の軸部の外径と略同等以下の大きさとしているので、釣針に取り付けた練り餌脱落防止具が簡単に移動して練り餌脱落防止具から練り餌が脱落するのを防止することができる。さらに、本体の外周面から径方向に延ばされた練り餌係止片は、本体の外周面とその上面とのなす角度が直角乃至鋭角となるように設けられると共に、本体の軸方向に間隔を置いて複数設けられているので、練り餌を確実に係止することができる。そして、練り餌脱落防止具を取着した釣針に魚が食い付いた際には、この練り餌係止片が弾性変形するので、釣針に食い付いた魚は違和感を覚えず、当該魚を確実にフッキングすることができる。
【００１６】
したがって、釣針への着脱が容易であり、魚が口に含んだ際の食感に影響を与えず、しかも練り餌のもちをよくすることが可能な練り餌脱落防止具と、このような練り餌脱落防止具を取り付けた釣針とを提供することができる。
【発明を実施するための最良の形態】
【００１７】
以下、本発明を図示実施例に従って詳述する。図１〜３に示すこの発明の一実施例の練り餌脱落防止具(10)は、図４に示すように、練り餌(P)を用いた釣りを行う際、釣針(F)に装着して使用するものであり、大略、本体(12)と練り餌係止片(14)とで構成されている。
【００１８】
本体(12)は、ゴム弾性を有する柔軟な材料で構成され、その中心軸上に釣針(F)の軸部(F1)を嵌挿する挿入孔(16)が設けられた筒状の部材である(図２参照)。
【００１９】
この本体(12)を構成する弾性を有する柔軟な材料としては、天然ゴムやシリコーンゴム，ウレタンゴム，クロロプレンゴム等の合成ゴム、或いは熱可塑性エラストマや軟質プラスチックなどが挙げられるが、釣針(F)軸部(F1)に対する装着のし易さ、および魚が食い付いた際、当該魚の口内に与える応力の低さ等を考慮すると、伸縮性に優れるつまりゴム弾性を有する天然ゴム，合成ゴムおよび熱可塑性エラストマなどを用いるのが好ましい。中でも、比重が軽く(すなわち仕掛け全体の重さに影響を与えず)、柔軟性の高いシリコーンゴムを用いるのが最も好適である。
【００２０】
また、本体(12)に設けられた挿入孔(16)の内径は、装着対象となる釣針(F)の軸部(F1)の外径と略同等乃至それ以下の大きさにて設けられている。例えば、装着対象となる釣針(F)の軸部(F1)の外径が０．８ｍｍ程度のものである場合には、挿入孔(16)の内径は０．３〜０．６ｍｍ程度に設定される。
【００２１】
そして、この本体(12)の外周面には、本体(12)の軸方向に間隔を置いて複数(図１においては６つ)の練り餌係止片(14)が設けられている。
【００２２】
練り餌係止片(14)は、本体(12)の外周面の一部全周が径方向に延設された、つまり本体(12)と同じ弾性を有する柔軟な材料で形成された鍔状の部材である(図３参照)。この練り餌係止片(14)の上面(14a)と本体(12)の外周面とのなす角度(θ)は直角乃至鋭角となるように形成されており、これにより、この練り餌係止片(14)が弾性を有する柔軟な材料で形成されているにもかかわらず、練り餌(P)を十分に係止できるようになっている。
【００２３】
ここで、練り餌係止片(14)の「上面(14a)」とは、練り餌脱落防止具(10)を釣針(F)の軸部(F1)に装着した際、釣針(F)のチモト側を向く面のことである。
【００２４】
なお、この練り餌係止片(14)は、本体(12)の長手方向両端部に近い位置に配設したものほどその外径が小さくなるように形成されており、練り餌脱落防止具(10)全体の形状が略紡錘形となるように形成されている。こうすることで、この練り餌脱落防止具(10)を釣針(F)に装着し、団子状にした練り餌(P)で釣針(F)全体を包み込んだ際、団子状にした練り餌(P)の表面に練り餌係止片(14)が突出するのを防止できると共に、これに食い付いた魚が針掛り可能な状態となるまで、魚の口に練り餌係止片(14)が突き当たるのを防止することができる。
【００２５】
以上のように構成された練り餌脱落防止具(10)は、金型内の挿入孔(16)を設けたい部分に金属ピンを装填し、前記金型内に上述した材料を充填してインサート成形を行った後、前記金属ピンを除去することによって量産することができる。
【００２６】
次に、本発明の練り餌脱落防止具(10)の作用について説明する。まず、挿入孔(16)内に針先から釣針(F)を挿入し、針先が挿入孔(16)を抜けて本体(12)が釣針(F)の軸部(F1)に達するまで練り餌脱落防止具(10)に釣針(F)を刺し通す。これにより、釣針(F)の軸部(F1)への練り餌脱落防止具(10)の装着が完了する(図４参照)。
【００２７】
続いて、適当な大きさの団子状にした練り餌(P)で釣針(F)全体を包み込み、これを水中のポイントへと投入する。すると、時間の経過と共に練り餌(P)が水中で順次拡散して魚を誘引すると共に、練り餌(P)で包み込んだ釣針(F)に食い付いた魚を釣り上げる。
【００２８】
一方、練り餌(P)を用いた釣りを止め、ミミズやゴカイ或いはオキアミなどの生餌を用いた釣りに切替えたい場合には、軸部(F1)に装着した練り餌脱落防止具(10)をハリス(L)側に押し上げるか、或いは針先のほうに移動させて釣針(F)から練り餌脱落防止具(10)を取り外す。
【００２９】
ここで、本実施例では、練り餌脱落防止具(10)が弾性を有する柔軟な材料で構成されているので、本体(12)に設けられた挿入孔(16)の内径が釣針(F)の軸部(F1)の外径と略同等以下であっても、本体(12)を弾性変形させる(より詳しくは挿入孔(16)を弾性変形させ拡径させる)ことにより、挿入孔(16)内に釣針(F)を容易に挿通させることができる。また、図４に示すように、釣針(F)の針先に「かえし(F2)」が設けられ、或いはチモト部に「タタキ(F3)」が設けられた場合であっても、挿入孔(16)を弾性変形させることにより、挿入孔(16)が「かえし(F2)」や「タタキ(F3)」を容易に乗り越えることができる。このため、上述したように、釣針(F)に練り餌脱落防止具(10)を装着して練り餌(P)を用いた釣りを行った後、生餌を用いた釣りに切替える際などに、釣針(F)に装着した練り餌脱落防止具(10)を簡単に移動させて釣針(F)から取外すことができる。
【００３０】
また、挿入孔(16)の内径を釣針(F)の軸部(F1)の外径と略同等以下の大きさで形成しているので、練り餌脱落防止具(10)を釣針(F)の軸部(F1)に装着すると、常態においては本体(12)がその弾性回復力で軸部(F1)を締め付けるようになる。このため、釣針(F)に取り付けた練り餌脱落防止具(10)が簡単に移動して練り餌脱落防止具(10)から練り餌(P)が脱落するのを防止することができる。
【００３１】
さらに、上述のように本実施例の練り餌脱落防止具(10)は、弾性を有する柔軟な材料で構成されているが、本体(12)の外周面から径方向に延ばされた練り餌係止片(14)は、本体(12)の外周面とその上面(14a)とのなす角度(θ)が直角乃至鋭角となるように設けられているので、練り餌係止片(14)から練り餌(P)がずり落ちるのを防止できると共に、本体(12)の軸方向に所定の間隔を置いて複数設けられているので、実質的に練り餌(P)を係止する練り餌係止片(14)上面(14a)と練り餌(P)との接触面積を増やすことができる。したがって、練り餌(P)を確実に係止でき、釣針(F)から練り餌(P)が脱落するのを防止することができる。
【００３２】
そして、練り餌係止片(14)が上述のように本体(12)の軸方向に所定の間隔を置いて複数設けられているので、練り餌係止片(14)に応力が与えられた場合、当該練り餌係止片(14)は容易に弾性変形する。したがって、練り餌脱落防止具(10)を取着した釣針(F)に魚が食い付いた際には、この練り餌係止片(14)が弾性変形し、魚の口内に与える応力つまり突き当たり感が軽減される。このため、釣針(F)に食い付いた魚は違和感を覚えず、当該魚を確実にフッキングすることができる。
【００３３】
なお、上述の実施例では、練り餌係止片(14)として、図２に示すように、本体(12)の外周面の一部全周が径方向に延設された鍔状のものを示したが、練り餌(P)との接触面積を増やすため、この練り餌係止片(14)の周方向の一部を切欠して歯車状(図示せず)に形成するようにしてもよい。
【００３４】
また、この練り餌係止片(14)は、その上面(14a)と本体(12)の外周面とのなす角度(θ)が直角乃至鋭角となるように形成されているものであれば、いかなる態様であってもよく、図５に示すように下面(14b)が上方に向けてテーパー状に拡径するものや、図６に示すように外縁が面取りされた形状のものなどであってもよい。
【００３５】
ここで、図５に示すように、本体(12)の外周面と練り餌係止片(14)の下面(14b)とのなす角度(θ2)が鈍角となるように構成すると、練り餌係止片(14)間への練り餌(P)の充填が容易になると共に、練り餌係止片(14)に下向きの応力が与えられた際における当該練り餌係止片(14)の形態保持性を向上させることができ、上面(14a)に係止した練り餌(P)のずり落ちをより効果的に防止することができる。
【００３６】
また、上述の例では、本体(12)と練り餌係止片(14)とを一体的に形成する例を示したが、これらを別体で製造するようにしてもよい。但し、この場合にも本体(12)と練り餌係止片(14)の両方がゴム弾性を有する柔軟な材料で構成されている必要がある。
【図面の簡単な説明】
【００３７】
【図１】本発明の一実施例の練り餌脱落防止具を示す正面図である。
【図２】図１におけるＡ−Ａ線断面図である。
【図３】本発明の一実施例の練り餌脱落防止具を示す平面図である。
【図４】本発明の一実施例の練り餌脱落防止具の使用態様を示す説明図である。
【図５】本発明の他の実施例の練り餌脱落防止具を示す正面図である。
【図６】本発明の他の実施例の練り餌脱落防止具を示す正面図である。
【図７】従来の練り餌脱落防止具の使用態様を示す説明図である。
【符号の説明】
【００３８】
(10)…練り餌脱落防止具
(12)…本体
(14)…練り餌係止片
(14a)…(練り餌係止片の)上面
(16)…挿入孔
(F)…釣針
(F1)…軸部
(L)…ハリス
(P)…練り餌
【図１】
2006141221.tif 000003
【図２】
2006141221.tif 000004
【図３】
2006141221.tif 000005
【図４】
2006141221.tif 000006
【図５】
2006141221.tif 000007
【図６】
2006141221.tif 000008
【図７】
2006141221.tif 000009